(57)【要約】      （修正有）【課題】係合部材同士を係合し難い、上衣本体にライナーを取着し難い、ライナー付き上衣の着用が容易でない等の問題を解消できるライナー付き上衣を提供する。【解決手段】上衣本体１０の身返し端部１２の裏側に身返しとは別体の一枚の細長い帯状布からなり、ボタン穴を有する身返し端布が縫着され、ボタン穴の上下に身返し端部と身返し端布とを縫合せる横方向の縫目１４が設けられ袋状部１５が形成され、ライナー２０の身返し側端部２１の表側に、隣接する帯状布の端が重なりあって磁石装着用開口が形成された複数枚の細長い帯状布からなりライナーとは別体である身返し側端布が縫着されており、磁石装着用開口の上下に身返し側端部と身返し側端布とを縫合せる横方向の縫目２４が設けられ袋状部２５が形成され、磁力により互いに吸着する磁石１６、２６が両袋状部に着脱自在に装着されている。【選択図】図６
0003168800.tif 000002
【実用新案登録請求の範囲】
【請求項１】
上衣本体と該上衣本体に着脱可能なライナーとからなるライナー付き上衣において、前記上衣本体の身返し端部に身返し端布が縫着されており、該上衣本体の身返し端部または身返し端布の少なくとも一方に磁石装着用開口が形成されており、該磁石装着用開口の上下に身返し端部と身返し端布とを縫合せる横方向の縫目が設けられ、前記ライナーの身返し側端部に身返し側端布が縫着されており、前記上衣本体の磁石装着用開口に対応して該ライナーの身返し側端部または身返し側端布の少なくとも一方に磁石装着用開口が形成されており、該磁石装着用開口の上下に身返し側端部と身返し側端布とを縫合せる横方向の縫目が設けられ、前記上衣本体の身返し端部と身返し端布と縫目とにより形成される袋状部および前記ライナーの身返し側端部と身返し側端布と縫目とにより形成される袋状部に磁力により互いに吸着する磁石が着脱自在に装着されていることを特徴とするライナー付き上衣。
【請求項２】
前記上衣本体に設けられる前記磁石装着用開口および前記ライナーに設けられる前記磁石装着用開口の少なくとも一方がボタン穴として形成されていることを特徴とする請求項１に記載のライナー付き上衣。
【請求項３】
前記上衣本体の前記身返し端布が身返しと一体のものであり、身返しの端部を折曲げて形成されていることを特徴とする請求項１または２に記載のライナー付き上衣。
【請求項４】
前記上衣本体の前記身返し端布が身返しとは別体であることを特徴とする請求項１または２に記載のライナー付き上衣。
【請求項５】
前記ライナーの前記身返し側端布がライナーと一体のものであり、ライナーの端部を折曲げて形成されていることを特徴とする請求項１または２に記載のライナー付き上衣。
【請求項６】
前記ライナーの前記身返し側端布がライナーとは別体であることを特徴とする請求項１または２に記載のライナー付き上衣。
【請求項７】
前記前記身返し端布または前記身返し側端布が一枚の細長い帯状布からなることを特徴とする請求項１、２、４または６に記載のライナー付き上衣。
【請求項８】
前記前記身返し端布または前記身返し側端布が複数枚の細長い帯状布からなり、隣接する帯状布の端が前記磁石装着用開口であることを特徴とする請求項１、２、４または６に記載のライナー付き上衣。
【請求項９】
前記隣接する帯状布の端が重なりあっていることを特徴とする請求項８に記載のライナー付き上衣。
【請求項１０】
上衣本体と該上衣本体に着脱可能なライナーとからなるライナー付き上衣において、前記上衣本体の身返し端部の裏側に身返しとは別体の一枚の細長い帯状布からなる身返し端布が縫着されており、該上衣本体の身返し端布にボタン穴として形成された磁石装着用開口が形成されており、該磁石装着用開口の上下に身返し端部と身返し端布とを縫合せる横方向の縫目が設けられ、前記ライナーの身返し側端部の表側に複数枚の細長い帯状布からなりライナーとは別体である身返し側端布が縫着されており、隣接する帯状布の端が重なりあって前記上衣本体の磁石装着用開口に対応して該ライナーの身返し側端部に磁石装着用開口が形成されており、該磁石装着用開口の上下に身返し側端部と身返し側端布とを縫合せる横方向の縫目が設けられ、前記上衣本体の身返し端部と身返し端布と縫目とにより形成される袋状部および前記ライナーの身返し側端部と身返し側端布と縫目とにより形成される袋状部に磁力により互いに吸着する磁石が着脱自在に装着されていることを特徴とするライナー付き上衣。
【請求項１１】
前記隣接する帯状布は互いに逆方向にくの字状に折れ曲った先端を有し、該先端はそれぞれくの字の折れ曲り部において折られて帯状布の主部に重ねられて斜めの端を形成しており、該斜めの端が重なりあっていることを特徴とする請求項９または１０に記載のライナー付き上衣。
【考案の詳細な説明】
【技術分野】
【０００１】
本考案は、ジャケット、ブルゾン、コート等の上衣に関する。より詳しくは、本考案は、上衣本体と上衣本体に着脱可能なライナーとからなるライナー付き上衣に関する。
【背景技術】
【０００２】
ジャケット、ブルゾン、コート等の上衣の上衣本体にライナーを着脱可能に設けることが行われている。着用時の周囲環境に応じて、ジャケット、ブルゾン、コート等の上衣本体からライナーを取外すことにより、ライナーのない薄手の上衣本体を比較的温暖時に軽快に着用することができる。一方、ジャケット、ブルゾン、コート等の上衣本体にライナーを取着することにより、比較的寒冷時に上衣の防寒性を高めることができる。
【０００３】
上衣本体にライナーを取着する方法として、以下のような方法が従来から採用されている。
【０００４】
ア、上衣本体、ライナーの一方にボタンを取付け、他方にボタン穴やループを形成して、ボタンをボタン穴やループに係合させて、上衣本体にライナーを取着する（特許文献１、２）。
【０００５】
イ、上衣本体、ライナーに互いに係合する雌雄スナップボタンを取付け、雌雄スナップボタンを係合させて上衣本体にライナーを取着する（特許文献２）。
【０００６】
ウ、上衣本体とライナーとにそれぞれオープンファスナー片を取付け、上衣本体とライナーのオープンファスナー片をスライダにより互いに係合させて上衣本体にライナーを取着スル（特許文献３、４）。
【０００７】
エ、上衣本体とライナーとにそれぞれ雌雄のマジックテープ（登録商標）を取付けて雌雄マジックテープ（登録商標）を互いに係合させて上衣本体にライナーを取着する（特許文献２）。
【先行技術文献】
【特許文献】
【０００８】
【特許文献１】昭和５８年３月１５日特許庁発行周知・慣用技術集（紳士服・その一）第２１７頁「ライナー（１）」
【特許文献２】昭和５９年３月１５日特許庁発行周知・慣用技術集（紳士服・その二）第１８５頁「ライナー」
【特許文献３】昭和５８年３月１５日特許庁発行周知・慣用技術集（紳士服・その一）第２１８頁「ライナー（２）」
【特許文献４】昭和５８年３月１５日特許庁発行周知・慣用技術集（紳士服・その一）第２１９頁「ライナー（３）」
【考案の概要】
【考案が解決しようとする課題】
【０００９】
上述のように、従来から採用されているボタンとボタン穴やループとの組合せ、または雌雄スナップボタンの係合により上衣本体にライナーを取着する方法では、互いに係合する両者が比較的小さいため、ボタンとボタン穴やループとの係合や、雌雄スナップボタン同士の係合が行い難いという問題がある。特に視力が低下したり手先の動きが鈍くなった高齢者が取付けるときや、手指か凍えて動きが鈍くなる寒冷時に取付けるときには、容易ではなく、迅速に行えないという問題がある。
【００１０】
また、オープンファスナーにより上衣本体にライナーを取着する際にはスライダーを介して２つのオープンファスナー片を連結するが、その操作が面倒であり、２つのオープンファスナー片を仲々思った通りに連結できず、上衣本体にライナーを簡単に取着できないという問題がある。
【００１１】
さらに、上衣本体とライナーにマジックテープ（登録商標）を取付けてマジックテープ（登録商標）により上衣本体にライナーを取着すると、特に洗濯時にごみがマジックテープ（登録商標）に絡まり易く、その結果、上衣本体にライナーを取着し難くなり易いという問題がある。
【００１２】
さらにまた、従来から採用されている上衣本体とライナーとの取着方法を採用した場合では、着用者はライナーを上衣本体に取着した状態の上衣本体をライナーと一緒に着込む必要があり、簡単に着用できないという問題がある。特に、ライナーとして袖付ライナーを用いた場合には、着用が一層容易に行えなくなるという問題がある。
【００１３】
上述のような従来から採用されている上衣本体とライナーとの取着方法に付随する問題点に鑑み、本考案は、従来から採用されている上衣本体とライナーとの取着方法に付随する係合部材同士の係合が行い難いとか、上衣本体にライナーを取着し難いとか、ライナー付き上衣の着用が容易でない等の問題を解消することができる着脱可能なライナー付き上衣を提供することを目的とする。
【課題を解決するための手段】
【００１４】
本考案においては、上記の目的を、上衣本体と該上衣本体に着脱可能なライナーとからなるライナー付き上衣において、前記上衣本体の身返し端部に身返し端布が縫着されており、該上衣本体の身返し端部または身返し端布の少なくとも一方に磁石装着用開口が形成されており、該磁石装着用開口の上下に身返し端部と身返し端布とを縫合せる横方向の縫目が設けられ、前記ライナーの身返し側端部に身返し側端布が縫着されており、前記上衣本体の磁石装着用開口に対応して該ライナーの身返し側端部または身返し側端布の少なくとも一方に磁石装着用開口が形成されており、該磁石装着用開口の上下に身返し側端部と身返し側端布とを縫合せる横方向の縫目が設けられ、前記上衣本体の身返し端部と身返し端布と縫目とにより形成される袋状部および前記ライナーの身返し側端部と身返し側端布と縫目とにより形成される袋状部に磁力により互いに吸着する磁石が着脱自在に装着されていることを特徴とするライナー付き上衣により達成する。
【００１５】
この場合に、前記上衣本体に設けられる前記磁石装着用開口および前記ライナーに設けられる前記磁石装着用開口の少なくとも一方がボタン穴として形成されており、または、前記前記身返し端布または前記身返し側端布が複数枚の細長い帯状布からなり、隣接する帯状布の端が前記磁石装着用開口であることが好ましい。
【００１６】
前記上衣本体の前記身返し端布が身返しと一体のものであり、身返しの端部を折曲げて形成されていてもよいし、身返しとは別体であってもよい。
【００１７】
前記ライナーの前記身返し側端布がライナーと一体のものであり、ライナーの端部を折曲げて形成されていてもよいし、ライナーとは別体であってもよい。
【００１８】
特に、前記上衣本体の身返し端布は、身返し端裏布として上衣本体の身返し端の裏側に位置するようにするとともに身返し端裏布に磁石装着用開口を形成すると、ライナーを外したときに上衣本体の磁石装着用開口が見えなくなり、見栄えがよく好ましい。
【００１９】
また、前記ライナーの身返し側端布は、身返し側端表布としてライナーの身返し側端部の表側に位置するようにするとともに互いに逆方向にくの字状に折れ曲った先端を有し、該先端はそれぞれくの字の折れ曲り部において折られて帯状布の主部に重ねられて斜めの端を形成しており、該斜めの端が重なりあっていることが好ましい。
【００２０】
特別な使用例として、本考案のライナー付き上衣を磁石の使用を嫌うペースメーカーの使用者が用いる場合には、磁石の使用に代えて、上衣本体の身返し端表布に磁石装着用開口としてボタン穴を形成するとともにライナーの身返し側端にボタンを取付けて、ライナーの身返し側端のボタンと上衣本体の身返し端表布のボタン穴とを係合させて上衣本体にライナーを取着するようにすることが好ましい。
【考案の効果】
【００２１】
本考案においては、上衣本体の身返し端と身返し端布と縫目とにより形成される袋状部および前記ライナーの身返し側端と身返し側端布と縫目とにより形成される袋状部にそれぞれ磁石を装着することにより、磁力により磁石を互いに吸着させることができ、上衣本体にライナーを簡単に且つ確実に取付けることができる。
【００２２】
本考案においては、着用者が上衣本体から外したライナーを着用した状態で、ライナーの上に上衣本体を羽織ることにより、上衣本体の磁石がライナーの磁石に吸着するので、ライナー付き上衣を簡単に着用できる。
【００２３】
また、本考案においては、磁石装着用開口から上衣本体の袋状部およびライナーの袋状部に磁石を挿入すればよく、磁石の装着・離脱が簡単に行える。
【００２４】
さらに、本考案の磁石は、洗濯時に簡単に取外すことができ、従来のマジックテープ（登録商標）を使用した場合のようにごみが絡まらず、長期間に亘り上衣本体にライナーを確実に取着できる。
【図面の簡単な説明】
【００２５】
【図１】本考案に係るライナー付き上衣の実施例の上衣本体を広げて上衣本体の内側（着用者側）から見た図である。
【図２】本考案に係るライナー付き上衣の実施例のライナーを広げて着用者側から見た図である。
【図３】図１に示す上衣本体の身返し端部を示し、（ａ）は着用者側から見た表側に位置する表布を示し、（ｂ）は着用者側から見て裏側に位置する裏布を示す。
【図４】図２に示すライナーの身返し側端部を示し、（ａ）は互いに逆方向にくの字状に折れ曲った先端を有する複数枚の細長い帯状布からなる身返し側端布を示し、複数枚の帯状布は展開されている。（ｂ）は帯状布の先端がそれぞれくの字の折れ曲り部において折られて帯状布の主部に重ねられ斜めの端を形成した状態を示し、（ｃ）は斜めの端が重なりあって磁石装着用開口を形成した状態を示し、（ｄ）、（ｅ）はライナーの身返し側端布の縫代を折返してライナーの身返し側端部に縫着した状態を示し、（ｆ）は身返し側端布の廻りをパイピング処理した状態を示す。
【図５】実施例の袋状部への磁石の装着手順を示し、（ａ）は上衣本体の袋状部への装着手順を示し、（ｂ）はライナーの袋状部への装着手順を示
【図６】本考案のライナー付き上衣の着用状態を示し、（ａ）は、着用者はライナーを着用し、その上に上衣本体を着用した場合のライナーおよび上衣本体の状態を着用者側から見た図であり、（ｂ）は、上衣本体にライナーを取着し、着用者はライナーと上衣本体とを一体として着用する場合の状態を着用者側から見た図である。
【考案を実施するための形態】
【実施例】
【００２６】
以下、本考案の実施例を図示した添付図面を参照して本考案を詳細に説明する。
【００２７】
図１および図２は本考案に係る上衣本体１０と上衣本体１０に着脱可能なライナー２０とからなるライナー付き上衣の実施例を示し、図１は同実施例の上衣本体１０を広げて上衣本体の内側（着用者側）から見た図であり、図２は同実施例のライナー２０を広げて着用者側から見た図である。
【００２８】
本考案の上衣本体１０においては、上衣本体１０の身返し端部１１に身返し端布１２（図３（ｂ）参照）が縫着されている。身返し端布１２は身返しと一体とし身返しの端部１１を折曲げて形成されていてもよいし、図３（ｂ）に示すように、身返しとは別体であって一枚の細長い帯状布からなっていてもよい。この場合に、図１および図３（ｂ）の身返し端布１２の左端は長さ方向に間隔を開けて身返しに縫着（セッパ止め）していることが好ましい。
【００２９】
上衣本体１０の身返し端部１１または身返し端布１２の少なくとも一方に磁石装着用開口１３が形成されている。本実施例においては、磁石装着用開口１３は、図３（ｂ）に示すように、身返し端布１２に、ボタン穴として形成されている。磁石装着用開口１３の上下に身返し端部と身返し端布１２とを縫合せる横方向の縫目１４が設けられている。上衣本体１０の身返し端部１１と身返し端布１２と縫目１４とにより袋状部１５が形成され、図５（ａ）に示す手順により、磁石装着用開口（ボタン穴）１３を通って磁石１６が袋状部１５に装着し、また、逆の手順により脱着できる。
【００３０】
一方、図２に示すように、ライナー２０の身返し側端部２１に身返し側端布２２が縫着されている。身返し側端布２２は身返しと一体とし身返しの端部１１を折曲げて形成されていてもよいし、身返しとは別体であってもよい。図示した実施例においては、身返し側端布２２は身返しとは別体であり、図２において身返しの表側に縫着されている。
【００３１】
次に、図４を参照して、本実施例のライナーの身返し側端部２１への身返し側端布２２の縫着方法を説明する。
【００３２】
図４（ａ）に示すように、互いに逆方向にくの字状に折れ曲った先端２７ａを有する複数枚の細長い帯状布２７を準備する。
【００３３】
図４（ｂ）に示すように、帯状布の上下の先端２７ａをそれぞれくの字の折れ曲り部２７ｂに沿って折って帯状布２７の主部２７ｃに重ね、横方向の縫目２７ｅを入れ、斜めの端２７ｄを形成する。
【００３４】
隣接する斜めの端２７ｄを、図４（ｃ）に示すように、磁石装着用開口２３を形成するように重ねる。重ね合せた帯状布２７の縫代２７ｆを、図４（ｄ）の左側に示すように、折り、ライナーの身返し側端部２１（図４（ｄ）の右側に示す）に載せて、図４（ｅ）に示すようにコバステッチで止める。次いで、図４（ｆ）に示すように、身返し側端布２２（複数の帯状布２７）の廻りをパイピング処理する。
【００３５】
このようにして、本実施例では、ライナー２０の身返し側端部２１の表側に縫着した身返し側端表布２２に磁石装着用開口２３が形成されており、前述の縫目２７ｅが磁石装着用開口２３の上下に設けられている。磁石装着用開口２３は上衣本体１０の磁石装着用開口１３に対応して位置している。なお、身返し側端布２２は身返し側端部２１の裏側に縫着してもよく、また、磁石装着用開口２３は身返し側端部２１に形成してもよい。
【００３６】
ライナーの身返し側端部２１と身返し側端布２２と縫目２７ｅとにより袋状部２５が形成され、図５（ｂ）の左から右に示す手順により、磁石装着用開口２３を通って磁石２６が袋状部２５に装着し、また、逆の手順により脱着できる。
【００３７】
図１および図２に示すように、本実施例の上衣本体１０の衿部に上述と同様に吸着用磁石を有するライナートラック３０を取付け、ライナー２０の衿部４０にも同様に吸着用磁石を設けている。
【００３８】
本考案においては、磁石装着用開口１３、２３から上衣本体１０の袋状部１５およびライナー２０の袋状部２５に磁石１６、２６を挿入すればよく、磁石１６、２６の装着・離脱が簡単に行える。
【００３９】
さらに、本考案の磁石１６、２６は、洗濯時に簡単に取外すことができ、従来のマジックテープ（登録商標）を使用した場合のようにごみが絡まらず、長期間に亘り上衣本体にライナーを確実に取着できる。
【００４０】
図６（ａ）は、着用者が最初にライナー２０を着用し、その上に上衣本体１０を着用した場合のライナー２０および上衣本体１０の状態を着用者側から見た図である。
【００４１】
本考案においては、着用者が上衣本体１０から外したライナー２０を着用した状態で、ライナー２０の上に上衣本体１０を羽織ることにより、上衣本体１０の磁石１６がライナー２０の磁石２６に吸着するので、ライナー付き上衣を簡単に着用できる。
【００４２】
また、本考案は、従来のライナー付き上衣と同様に、上衣本体にライナーを取着し、着用者はライナーと上衣本体とを一体として着用することもでき、その状態を図６（ｂ）に示している。
【００４３】
以上説明した実施例においては、上衣本体の身返し端布は、身返し端裏布として上衣本体の身返し端の裏側に位置するようにするとともに身返し端裏布に磁石装着用開口を形成すると、ライナーを外したときに上衣本体の磁石装着用開口が見えなくなり、見栄えがよく好ましい。
【００４４】
また、ライナーの身返し側端布は、実施例に示すように、身返し側端表布としてライナーの身返し側端部の表側に位置するようにするとともに互いに逆方向にくの字状に折れ曲った先端を有し、該先端はそれぞれくの字の折れ曲り部において折られて帯状布の主部に重ねられて斜めの端を形成しており、該斜めの端が重なりあっていることが好ましい。
【００４５】
上述のように本考案のライナー付き上衣はデザインが優れている。本考案のライナー付き上衣を磁石の使用を嫌うペースメーカーの使用者が用いる場合に、この優れたデザインを用いることを希望する場合には、磁石の使用に代えて、上衣本体の身返し端表布に磁石装着用開口としてボタン穴を形成するとともにライナーの身返し側端にボタンを取付けて、ライナーの身返し側端のボタンと上衣本体の身返し端表布のボタン穴とを係合させて上衣本体にライナーを取着するようにすることもできる。
【符号の説明】
【００４６】
１０  上衣本体
１１  上衣本体の身返し端部
１２  身返し端布
１３  磁石装着用開口（ボタン穴）
１４  横方向の縫目
１５  袋状部
１６  磁石
２０  ライナー
２１  ライナーの身返し側端部
２２  身返し側端布
２３  磁石装着用開口
２４  横方向の縫目
２５  袋状部
２６  磁石
２７  帯状布
２７ａ  くの字状に折れ曲った先端
２７ｂ  くの字の折れ曲り部
２７ｃ  主部
２７ｄ  斜めの端
２７ｅ  横方向の縫目
２７ｆ  縫代
【図１】
0003168800.tif 000003
【図２】
0003168800.tif 000004
【図３】
0003168800.tif 000005
【図４】
0003168800.tif 000006
【図５】
0003168800.tif 000007
【図６】
0003168800.tif 000008